(57)【要約】【課題】  画像を表示する表示素子の複数の階調におけるガンマカーブ補正又はフリッカ補正を短時間にて実行する。【解決手段】  液晶表示素子が表示するテストパターンの、特定の表示位置における輝度を測定する輝度測定手段５０から、複数の表示位置における輝度を、液晶表示素子に印加した電圧の極性毎に入力する輝度入力手段９５１と、予め階調位置記憶手段が記憶している階調と表示位置との関係、及び輝度入力手段９５１が入力した表示位置と輝度との関係から、階調と輝度との関係を、前記電圧の極性毎に算出する階調輝度算出手段と、液晶表示素子が表示すべき階調輝度特性及び前記算出した階調と輝度との関係を対比して、液晶表示素子が表示した階調表示の輝度を階調輝度特性に近づけるための階調補正値を、電圧の極性毎に算出する階調補正値算出手段とを備えた。【選択図】    図２
2007225694.tif 000002
【特許請求の範囲】
【請求項１】
表示素子が表示位置に応じて階調の異なる階調表示をする際の、階調特性に関する補正値を算出する表示特性調整装置であって、
前記表示素子が前記階調表示を行う際の階調と表示位置との関係を予め記憶する階調位置記憶手段と、
特定の表示位置における輝度を測定する輝度測定手段から、前記階調表示した複数の表示位置における輝度を入力する輝度入力手段と、
前記階調位置記憶手段が記憶している階調と表示位置との関係、及び前記輝度入力手段が入力した表示位置と輝度との関係から、階調と輝度との関係を算出する階調輝度算出手段と、
前記表示素子が表示すべき階調と輝度との関係を定めた階調輝度特性を予め記憶する階調輝度特性記憶手段と、
前記階調輝度算出手段が算出した階調と輝度との関係と、前記階調輝度特性記憶手段に記憶されている階調輝度特性とを比較して、前記表示素子が表示した前記階調表示の輝度を前記階調輝度特性に近づけるための階調補正値を算出する階調補正値算出手段と、
を備えることを特徴とする表示素子の表示特性調整装置。
【請求項２】
表示素子が表示位置に応じて階調の異なる階調表示をする際に、前記表示素子に印加する電圧の極性を反転させる交流化反転を行うことにより生ずる輝度変動を減少させるための補正値を算出する表示特性調整装置であって、
特定の表示位置における輝度を測定する輝度測定手段から、前記階調表示した複数の表示位置における輝度を、前記電圧の極性毎に入力する輝度入力手段と、
前記入力した極性毎の輝度の差を複数の表示位置について算出し、その輝度の差を減少させるための輝度変動補正値を算出する輝度補正値算出手段と、
を備えることを特徴とする表示素子の表示特性調整装置。
【請求項３】
表示素子が表示位置に応じて階調の異なる階調表示をする際に、前記表示素子に印加する電圧の極性を反転させる交流化反転を行うことにより生ずる輝度変動を減少させるための補正値を、階調特性に関する補正値と共に算出する表示特性調整装置であって、
前記表示素子が前記階調表示を行う際の階調と表示位置との関係を予め記憶する階調位置記憶手段と、
特定の表示位置における輝度を測定する輝度測定手段から、前記階調表示した複数の表示位置における輝度を、前記電圧の極性毎に入力する輝度入力手段と、
前記階調位置記憶手段が記憶している階調と表示位置との関係、及び前記輝度入力手段が入力した表示位置と輝度との関係から、階調と輝度との関係を、前記表示素子に印加した電圧の極性毎に算出する階調輝度算出手段と、
前記表示素子が表示すべき階調と輝度との関係を定めた階調輝度特性を予め記憶する階調輝度特性記憶手段と、
前記階調輝度算出手段が算出した階調と輝度との関係と、前記階調輝度特性記憶手段に記憶されている階調輝度特性とを比較して、前記表示素子が表示した前記階調表示の輝度を前記階調輝度特性に近づけるための階調補正値を、前記表示素子に印加した電圧の極性毎に算出する階調補正値算出手段と、
を備えることを特徴とする表示素子の表示特性調整装置。
【請求項４】
前記表示素子に対して、前記階調表示を行うための階調表示情報を出力する階調表示情報出力手段を備えることを特徴とする請求項１〜３のいずれか１項に記載の表示特性調整装置。
【請求項５】
表示位置に応じて異なる階調の階調表示を行う表示素子の、階調表示した複数の表示位置における輝度を測定する第一の工程と、
表示素子が表示する階調と表示位置との関係、及び、前記第一の工程で測定された表示位置と輝度との関係から、階調と輝度との関係を算出する第二の工程と、
前記第二の工程で算出された階調と輝度との関係と、予め決められた、表示素子が表示すべき階調と輝度との関係を定めた階調輝度特性とを比較して、前記表示素子が表示する階調表示の輝度を前記階調輝度特性に近づけるための階調補正値を算出する工程と、を含むことを特徴とする表示素子の表示特性調整方法。
【請求項６】
表示位置に応じて異なる階調を有する階調表示を、印加する電圧の極性を反転させながら行う表示素子の表示特性調整方法であって、、
前記表示素子に印加された電圧の極性毎に、前記階調表示した複数の表示位置における輝度を測定する工程と、
前記電圧の極性毎の輝度の差を複数の表示位置毎に算出して、その輝度の差を減少させるための輝度変動補正値を算出する工程と、を含むことを特徴とする表示素子の表示特性調整方法。
【請求項７】
表示位置に応じて異なる階調を有する階調表示を、印加する電圧の極性を反転させながら行う表示素子の表示特性調整方法であって、
前記表示素子に印加された電圧の極性毎に、前記階調表示した複数の表示位置における輝度を測定する第一の工程と、
前記第一の工程で測定された表示位置と輝度との関係、及び、予め決められた、表示素子が表示すべき階調と輝度との関係を定めた階調輝度特性における階調と表示位置との関係から、階調と輝度との関係を前記表示素子に印加した電圧の極性毎に算出する第二の工程と、
前記第二の工程で算出した階調と輝度との関係と、前記階調輝度特性とを比較して、前記表示素子が表示した前記階調表示の輝度を前記階調輝度特性に近づけるための階調補正値を、前記表示素子に印加した電圧の極性毎に算出する第三の工程と、を備えることを特徴とする表示素子の表示特性調整方法。
【請求項８】
前記階調表示を、表示位置に応じて順次階調が変化するグラデーション画像としたことを特徴とする請求項５〜７のいずれか１項に記載の表示特性調整方法。
【発明の詳細な説明】
【技術分野】
【０００１】
本発明は、表示装置のガンマカーブ補正又はフリッカ補正を行うための表示特性調整装置及びその表示特性調整方法に関する。
【背景技術】
【０００２】
液晶表示装置では、液晶に対して常に一方向に電圧を印加し続けていると、電極に液晶層内のイオンが集まるために、電極に印加した電圧の一部しか液晶に作用しなくなり、液晶表示装置が表示する色が薄くなる焼き付きの不具合を生ずる。そこで、液晶に印加する電圧の極性を交互に反転させる交流化反転が行われている。
【０００３】
交流化反転を行うと、電圧の極性の正負を切り替えた際の輝度特性の差がフリッカとなって現れる。このフリッカを減少させるために、印加電圧の極性を変えた場合であっても輝度が一定になるように、極性に応じて印加電圧を調整する作業が行われている。
【０００４】
このフリッカを減少させる調整の際には、フリッカを観察しやすくするために画素一列毎に印加する中間色の表示電圧の極性を反転させると共に、その中間調の表示電圧を、電圧透過率曲線の傾きが最も急峻になる電圧値に設定する液晶表示素子のフリッカ調整方法が知られている（例えば、特許文献１参照）。特許文献１に記載の液晶表示素子のフリッカ調整方法によれば、中間調の表示電圧を電圧透過率曲線の傾きが最も急峻になる電圧値に設定することにより、フリッカの調整が容易になるとされている。
【０００５】
一方、液晶表示装置のガンマ特性の調整方法として、複数の液晶パネル間のコントラスト比に左右されることなく最適なガンマ調整を行うために、各色の液晶パネルの特性を測定し、それぞれの液晶パネルの特性値に応じて、あらかじめ記憶しているガンマ補正データから任意のガンマ補正データを選択することにより、液晶パネルのガンマ調整を行うガンマ調整装置が知られている（例えば、特許文献２参照）。特許文献２に記載のガンマ調整装置によれば、複数の液晶パネルについてガンマ調整を実行することによって、複数の液晶パネル間のコントラスト比に左右されることなくガンマ調整を行うことができるとされている。
【特許文献１】特開２００３−１３１１９７号公報（段落番号３２〜３８、第６図）
【特許文献２】特開２００４−２１２６０５号公報（第１−３ページ、第１図）
【発明の開示】
【発明が解決しようとする課題】
【０００６】
特許文献１に記載のフリッカ調整方法では、電圧透過率曲線の傾きが最も急峻になる部分でしかフリッカの補正を行っていないために、その他の階調では輝度変動が目立つ可能性があった。
【０００７】
全階調における輝度変動を観察し難くするために、フレーム周波数を上げる手法が知られているが、この方法を採用するためには応答の早い液晶材料が要求される。現在では、応答の早い液晶材料としてフッ素系の液晶素材が知られているが、焼き付きしやすく低温特性が悪いために、一般に使用することが困難である。
【０００８】
特許文献２に記載のガンマ調整装置では、カラーパレットと呼ばれるパラメータの組み合わせを用いて調整する必要があり、ガンマ調整にかかる時間が膨大となるために実用的でないという不具合を生じている。また、特許文献２に記載のガンマ調整装置では、全階調におけるフリッカの調整を行っていないので、輝度変動が発生するという不具合を生じていた。
【０００９】
また、近年実用化が進んでいるフィールドシーケンシャル方式の液晶表示装置では、液晶に印加する電圧の極性を交互に切り換える交流化反転の方式として、ライン反転又はドット反転を用いることができないので、フリッカの調整を容易に行うことができないという不具合を生じていた。
【００１０】
本発明は上記不具合を解決するためになされたもので、輝度変動を減少させる補正を、複数の階調において行うことを課題としている。また本発明は、液晶表示素子をガンマカーブに近づける補正を短時間で行うことを課題としている。
【課題を解決するための手段】
【００１１】
そこで本発明の表示特性調整装置は以下のような構成とした。
【００１２】
（１）表示素子が表示位置に応じて階調の異なる階調表示をする際の、階調特性に関する補正値を算出する表示特性調整装置であって、前記表示素子が前記階調表示を行う際の階調と表示位置との関係を予め記憶する階調位置記憶手段と、特定の表示位置における輝度を測定する輝度測定手段から、前記階調表示した複数の表示位置における輝度を入力する輝度入力手段と、前記階調位置記憶手段が記憶している階調と表示位置との関係、及び前記輝度入力手段が入力した表示位置と輝度との関係から、階調と輝度との関係を算出する階調輝度算出手段と、前記表示素子が表示すべき階調と輝度との関係を定めた階調輝度特性を予め記憶する階調輝度特性記憶手段と、前記階調輝度算出手段が算出した階調と輝度との関係と、前記階調輝度特性記憶手段に記憶されている階調輝度特性とを比較して、前記表示素子が表示した前記階調表示の輝度を前記階調輝度特性に近づけるための階調補正値を算出する階調補正値算出手段とを備える構成とした。
【００１３】
（２）表示素子が表示位置に応じて階調の異なる階調表示をする際に、前記表示素子に印加する電圧の極性を反転させる交流化反転を行うことにより生ずる輝度変動を減少させるための補正値を算出する表示特性調整装置であって、特定の表示位置における輝度を測定する輝度測定手段から、前記階調表示した複数の表示位置における輝度を、前記電圧の極性毎に入力する輝度入力手段と、前記入力した極性毎の輝度の差を複数の表示位置について算出し、その輝度の差を減少させるための輝度変動補正値を算出する輝度補正値算出手段とを備える構成とした。
【００１４】
（３）表示素子が表示位置に応じて階調の異なる階調表示をする際に、前記表示素子に印加する電圧の極性を反転させる交流化反転を行うことにより生ずる輝度変動を減少させるための補正値を、階調特性に関する補正値と共に算出する表示特性調整装置であって、前記表示素子が前記階調表示を行う際の階調と表示位置との関係を予め記憶する階調位置記憶手段と、特定の表示位置における輝度を測定する輝度測定手段から、前記階調表示した複数の表示位置における輝度を、前記表示素子に印加した電圧の極性毎に入力する輝度入力手段と、前記階調位置記憶手段が記憶している階調と表示位置との関係、及び前記輝度入力手段が入力した表示位置と輝度との関係から、階調と輝度との関係を、前記表示素子に印加した電圧の極性毎に算出する階調輝度算出手段と、前記表示素子が表示すべき階調と輝度との関係を定めた階調輝度特性を予め記憶する階調輝度特性記憶手段と、前記階調輝度算出手段が算出した階調と輝度との関係と、前記階調輝度特性記憶手段に記憶されている階調輝度特性とを比較して、前記表示素子が表示した前記階調表示の輝度を前記階調輝度特性に近づけるための階調補正値を、前記表示素子に印加した電圧の極性毎に算出する階調補正値算出手段を備える構成とした。
【００１５】
また、本発明の表示素子の表示特性調整方法は、表示位置に応じて異なる階調の階調表示を行う表示素子の、階調表示した複数の表示位置における輝度を測定し、次に、表示素子が表示する階調と表示位置との関係、及び、測定された表示位置と輝度との関係から、階調と輝度との関係を算出し、算出された階調と輝度との関係と、予め決められた、表示素子が表示すべき階調と輝度との関係を定めた階調輝度特性とを比較して、前記表示素子が表示する階調表示の輝度を前記階調輝度特性に近づけるための階調補正値を算出することとした。
【００１６】
あるいは、本発明の表示特性調整方法は、表示位置に応じて異なる階調を有する階調表示を、印加する電圧の極性を反転させながら行う表示素子の表示特性調整方法であり、表示素子に印加された電圧の極性毎に、階調表示した複数の表示位置における輝度を測定する工程と、電圧の極性毎の輝度の差を複数の表示位置毎に算出して、その輝度の差を減少させるための輝度変動補正値を算出する工程と、を含むこととした。
【００１７】
あるいは、本発明の表示特性調整方法は、表示位置に応じて異なる階調を有する階調表示を、印加する電圧の極性を反転させながら行う表示素子の表示特性調整方法であって、表示素子に印加された電圧の極性毎に、階調表示した複数の表示位置における輝度を測定する第一の工程と、第一の工程で測定された表示位置と輝度との関係、及び、予め決められた、表示素子が表示すべき階調と輝度との関係を定めた階調輝度特性における階調と表示位置との関係から、階調と輝度との関係を表示素子に印加した電圧の極性毎に算出する第二の工程と、第二の工程で算出した階調と輝度との関係と、階調輝度特性を比較して、表示素子が表示した階調表示の輝度を階調輝度特性に近づけるための階調補正値を、表示素子に印加した電圧の極性毎に算出する第三の工程と、を備えることとした。
【発明の効果】
【００１８】
上記（１）の表示特性調整装置は、表示素子に表示位置に応じて異なる階調表示を表示させ、表示素子が表示している階調表示の輝度を表示位置毎に測定し、予め階調輝度特性記憶手段に記憶されている階調輝度特性と比較して、その階調輝度特性に近づけるための階調補正値を算出するようにしたので、表示素子をガンマカーブに近づける補正を短時間で行うことができる。
【００１９】
また、上記（２）の表示特性調整装置は、表示素子が表示位置に応じて階調の異なる階調表示を前記表示素子に印加する電圧の極性を反転させながら行わせ、表示素子が表示している階調表示の輝度を表示位置毎及び表示素子に印加した電圧の極性毎に測定し、その測定した極性毎の輝度の差を複数の表示位置について算出し、その輝度の差を減少させるための輝度変動補正値を算出するようにしたので、輝度変動を減少させる補正を複数の階調において行うことができる。
【００２０】
また、上記（３）の表示特性調整装置は、表示素子が表示している階調表示の輝度を表示位置及び表示素子に印加した電圧の極性毎に測定し、予め階調輝度特性記憶手段に記憶されている階調輝度特性と比較して、その階調輝度特性に近づけるための階調補正値を、表示素子に印加した電圧の極性毎に算出するようにしたので、表示素子をガンマカーブに近づける補正と、輝度変動を減少させる補正とを短時間で行うことができる。
【発明を実施するための最良の形態】
【００２１】
以下、本発明の実施の形態について説明する。
【００２２】
本発明による表示特性調整装置及び表示特性調整方法では、調整対象となっている表示素子に、表示位置に応じて階調の異なるグラデーション画像等の階調表示を表示することによって、ガンマカーブ補正又はフリッカ補正を短時間で実行することを可能にするものである。また、表示素子に階調表示を表示させることによって、複数の階調における補正値を短時間で取得することを可能にするものである。
【００２３】
本発明による表示特性調整装置は、表示素子が表示位置に応じて階調の異なる階調表示をする際の、階調特性に関する補正値を算出する表示特性調整装置であって、表示素子が階調表示を行う際の階調と表示位置との関係を予め記憶する階調位置記憶手段と、特定の表示位置における輝度を測定する輝度測定手段から、前記階調表示した複数の表示位置における輝度を入力する輝度入力手段と、階調位置記憶手段が記憶している階調と表示位置との関係、及び前記輝度入力手段が入力した表示位置と輝度との関係から、階調と輝度との関係を算出する階調輝度算出手段と、表示素子が表示すべき階調と輝度との関係を定めた階調輝度特性を予め記憶する階調輝度特性記憶手段と、階調輝度算出手段が算出した階調と輝度との関係と階調輝度特性記憶手段に記憶されている階調輝度特性を比較して、表示素子が表示した階調表示の輝度を階調輝度特性に近づけるための階調補正値を算出する階調補正値算出手段を備える。これにより、表示素子が表示している階調表示の輝度を表示位置毎に測定し、予め階調輝度特性記憶手段に記憶させた階調輝度特性と比較して、その階調輝度特性に近づけるための階調補正値を算出することができる。したがって、表示素子をガンマカーブに近づける補正を短時間で行うことができる。
【００２４】
また、本発明による表示特性調整装置は、表示素子が表示位置に応じて階調の異なる階調表示をする際に、表示素子に印加する電圧の極性を反転させる交流化反転を行うことにより生ずる輝度変動（以降、フリッカと称す）を減少させるための補正値を算出する表示特性調整装置であって、特定の表示位置における輝度を測定する輝度測定手段から、階調表示した複数の表示位置における輝度を、電圧の極性毎に入力する輝度入力手段と、入力した極性毎の輝度の差を複数の表示位置について算出し、その輝度の差を減少させるための輝度変動補正値を算出する輝度補正値算出手段とを備える。これにより、表示素子が表示位置に応じて階調の異なる階調表示を表示素子に印加する電圧の極性を反転させながら行わせ、表示素子が表示している階調表示の輝度を表示位置毎及び表示素子に印加した電圧の極性毎に測定し、その測定した極性毎の輝度の差を複数の表示位置について算出し、その輝度の差を減少させるための輝度変動補正値を算出することができる。したがって、輝度変動を減少させる補正を複数の階調において行うことができる。
【００２５】
また、本発明による表示特性調整装置は、表示素子が表示位置に応じて階調の異なる階調表示をする際に、フリッカを減少させるための補正値を階調特性に関する補正値と共に算出する表示特性調整装置であって、表示素子が階調表示を行う際の階調と表示位置との関係を予め記憶する階調位置記憶手段と、特定の表示位置における輝度を測定する輝度測定手段から、階調表示した複数の表示位置における輝度を、表示素子に印加した電圧の極性毎に入力する輝度入力手段と、階調位置記憶手段が記憶している階調と表示位置との関係、及び前記輝度入力手段が入力した表示位置と輝度との関係から、階調と輝度との関係を表示素子に印加した電圧の極性毎に算出する階調輝度算出手段と、表示素子が表示すべき階調と輝度との関係を定めた階調輝度特性を予め記憶する階調輝度特性記憶手段と、階調輝度算出手段が算出した階調と輝度との関係と、階調輝度特性記憶手段に記憶されている階調輝度特性とを比較して、表示素子が表示した階調表示の輝度を階調輝度特性に近づけるための階調補正値を、表示素子に印加した電圧の極性毎に算出する階調補正値算出手段を備える。これにより、表示素子が表示している階調表示の輝度を表示位置及び表示素子に印加した電圧の極性毎に測定し、予め階調輝度特性記憶手段に記憶されている階調輝度特性と比較して、その階調輝度特性に近づけるための階調補正値を、表示素子に印加した電圧の極性毎に算出することができる。したがって、表示素子をガンマカーブに近づける補正と、輝度変動を減少させる補正とを短時間で行うことができる。
【００２６】
また、表示特性調整装置は、ガンマカーブ補正又はフリッカ補正を行う際に、調整対象の表示素子に対して、階調表示を行うための階調表示情報を出力する階調表示情報出力手段を備える。
【００２７】
これにより、調整対象の表示素子が階調表示情報を入力して、表示位置に応じて階調の異なる階調表示を行った状態でガンマカーブ補正又はフリッカ補正を行うことができる。
【００２８】
また、表示特性調整装置は、階調表示として表示位置に応じて順次階調が変化するグラデーション画像を用いる。
【００２９】
これにより、一つの階調表示で複数の階調における輝度を測定することが可能となり、ガンマカーブ補正又はフリッカ補正を短時間で行うことができる。
【００３０】
以下、本発明の実施例について図面を用いて詳細に説明する。図１は、本発明の実施例を示すブロック図であり、表示素子の表示特性調整に用いる液晶表示装置１０と表示特性調整装置９００とを説明している。図２は、表示素子の階調補正値又は輝度変動補正値を算出する表示特性調整装置９００の信号処理系ブロック図である。
【００３１】
図１に示す液晶表示装置１０は、透過する光の光量を画素毎に調節して表示画面を形成する液晶表示素子７０と、液晶表示素子７０に対して下面から光を照射するバックライト２０と、点順次の表示用の画素データを入力して、液晶の各画素電極に対して印加する電圧を液晶表示素子７０に出力すると共に、バックライト２０の発光を制御する電力をバックライト２０に対して出力するドライバ３０と、液晶表示素子７０に表示させるＲ、Ｇ、Ｂ等の映像信号を入力してガンマカーブ補正等の階調補正、フリッカ補正等の輝度変動補正を行って列順次の画素データを出力すると共にバックライト２０に対して発光情報を出力するγ・フリッカ補正回路４０とを備えている。
【００３２】
液晶表示素子７０のガンマカーブ補正を行う際に表示特性調整装置９００は、液晶表示素子７０が表示したテストパターンの特定の表示位置における輝度を測定する輝度測定手段５０から、液晶表示素子７０が階調表示したテストパターンの複数の表示位置における輝度を入力して、本来表示すべき階調輝度特性と比較する。そして、液晶表示素子７０の表示特性を本来表示すべき階調輝度特性に近づけるための階調補正値を算出して液晶表示装置１０のγ・フリッカ補正回路に出力する。
【００３３】
また、液晶表示素子７０のフリッカ補正を行う際に表示特性調整装置９００は、液晶表示素子７０が表示したテストパターンの特定の表示位置における輝度を測定する輝度測定手段５０から、液晶表示素子７０が階調表示したテストパターンの複数の表示位置における輝度を、表示素子に印加した電圧の極性毎に入力して、その表示素子に印加した電圧の極性毎の輝度の差を複数の階調毎に算出し、その輝度の差を減少させるための輝度変動補正値を複数の階調毎に算出して液晶表示素子７０のγ・フリッカ補正回路に出力する。
【００３４】
γ・フリッカ補正回路４０は、表示特性調整装置９００から取得した階調補正値又は輝度変動補正値を補正値記憶手段４２に記憶して、以後入力されたＲ、Ｇ、Ｂ等の映像信号に対して、前記階調補正値又は輝度変動補正値を用いた階調補正又は輝度変動補正を行って、点順次の画素データを生成してドライバ３０に出力する。
【００３５】
このようにして液晶表示装置１０は、ガンマカーブに則した表示を行うことが可能となる。また、輝度変動の少ない表示を行うことが可能となる。
【００３６】
図１に示した実施例では、輝度測定手段５０がテストパターンの複数の表示位置における輝度を測定するために、輝度測定手段５０をテストパターンに沿って平行に走査させる走査手段５２を設け、輝度信号と共にその輝度を測定した位置情報を表示特性調整装置９００に対して出力する構成としている。走査手段５２として、例えば輝度測定手段５０をキャリッジに備えた１軸又は多軸のロボットを用いることができる。この他にも輝度測定手段５０として、所定の範囲の輝度とその座標値を取得することが可能なエリア撮像型の固体撮像素子等を用いるようにしてもよい。
【００３７】
表示特性調整装置９００が、液晶表示装置１０のγ・フリッカ補正回路４０に対して出力する補正値として、各階調毎の輝度補正値、多次の近似曲線の計算式、所定の近似曲線を選択する情報、又はオフセット用の定数等の補正値を指示することができる。
【００３８】
次に、液晶表示素子７０に表示したテストパターンの輝度を測定することにより、液晶表示素子７０の階調補正値又は輝度変動補正値を算出する表示特性調整装置９００の構成について、図２を用いて説明する。
【００３９】
図２に示すように表示特性調整装置９００は、液晶表示素子７０が階調表示した複数の表示位置における輝度を輝度測定手段５０から入力する輝度入力手段９５１と、輝度測定手段５０を走査させる走査手段５２に対して駆動信号を出力すると共に輝度測定手段５０が測定した輝度の表示位置を表す位置情報を取得するＩ／Ｏ９７７と、液晶表示素子７０に対して階調表示を行うための階調表示情報を出力する階調表示情報出力手段９５２とを備えている。
【００４０】
輝度入力手段９５１は、輝度測定手段５０が光電変換した電圧値又は電流値をＡ／Ｄ変換して輝度情報を得る機能を有するものである。階調表示情報出力手段９５２は、液晶表示素子７０に対してグラデーション画像等の階調表示を行うための階調表示情報を出力する。階調表示情報として、例えばＲ、Ｇ、Ｂからなる映像信号等の情報を用いることができる。また、輝度入力手段９５１は、液晶表示素子７０のフリッカ補正を実行する際に、輝度測定手段５０から、液晶表示素子が表示位置に応じて階調の異なる階調表示をした際の複数の表示位置における輝度を、表示素子に印加した電圧の極性毎に入力することが可能となっている。
【００４１】
また、表示特性調整装置９００は、液晶表示素子７０の表示特性調整の開始又は終了等の各種指示情報を作業者から入力する入力手段９７０と、入力手段９７０が出力した指示情報をバス９９９を介して情報処理手段９８０に伝える入力Ｉ／Ｆ９７１と、液晶表示素子７０の表示特性調整に必要な各種情報を作業者に対して表示する表示手段９７２と、情報処理手段９８０から表示データを入力して表示手段９７２に対して表示用の表示信号を出力する表示Ｉ／Ｆ９７３とを備えている。
【００４２】
また、表示特性調整装置９００は、情報処理手段９８０が処理を実行する際に作業領域として用いるＲＡＭ９８１と、情報処理手段９８０が実行する処理プログラムや定数等の各種情報を記録するＲＯＭ９８３と、情報処理手段９８０にて実行する各種プログラムや必要な設定値、定数等を記憶するハードディスクドライブ等から構成される記憶手段９８４と、時刻を刻むタイマ９９０とを備えている。
【００４３】
情報処理手段９８０と、輝度入力手段９５１、階調表示情報出力手段９５２、入力Ｉ／Ｆ９７１、表示Ｉ／Ｆ９７３、ＲＡＭ９８１、ＲＯＭ９８３、記憶手段９８４、及びタイマ９９０等を含む各周辺回路はバス９９９で接続されており、情報処理手段９８０にて実行される処理プログラムに基づいて、情報処理手段９８０が各々の周辺回路を制御することが可能となっている。なお、情報処理手段９８０にて実行される処理プログラムは、記録媒体や通信によって提供することが可能である。また、各周辺回路をＡＳＩＣ等で構成することも可能である。
【００４４】
記憶手段９８４は、液晶表示素子が表示位置に応じて階調の異なる階調表示を行う際の階調と表示位置との関係を予め記憶する階調位置記憶手段として機能することが可能である。また、記憶手段９８４は、液晶表示素子７０が表示すべき階調と輝度との関係を定めた階調輝度特性を予め記憶する階調輝度特性記憶手段として機能することが可能である。
【００４５】
Ｉ／Ｏ９７７は、液晶表示素子７０が表示を行う際に、表示素子（液晶の共通電極等）に印加する電圧の極性に関する情報を液晶表示装置１０から入力することが可能である。また、液晶表示素子７０が表示を行う際に表示素子に印加する電圧の極性を、液晶表示装置１０に対して指示可能な構成とすることもできる。この表示素子に印加する電圧の極性の情報は、フリッカ補正を実行する際に、表示特性調整装置９００が、表示素子に印加されている電圧の極性を把握するための情報である。
【００４６】
情報処理手段９８０は、記憶手段９８４等の階調位置記憶手段が記憶している階調と表示位置との関係、及び輝度入力手段９５１が入力した表示位置と輝度との関係から、階調と輝度との関係を算出する階調輝度算出手段として機能することが可能である。また、情報処理手段９８０は、階調輝度算出手段が算出した階調と輝度との関係と、記憶手段９８４等の階調輝度特性記憶手段が記憶している階調輝度特性とを比較して、液晶表示素子７０が表示する階調表示の輝度を階調輝度特性に近づけるための階調補正値を算出する階調補正値算出手段として機能することが可能である。また、情報処理手段９８０は、輝度入力手段９５１が入力した、表示素子に印加した電圧の極性毎の輝度の差を複数の表示位置毎に算出し、その輝度の差を減少させるための輝度変動補正値を算出する輝度補正値算出手段として機能することが可能である。
【００４７】
なお、液晶表示装置１０の内部にマイクロコンピュータの機能を備えている場合には、液晶表示装置１０内部に図２に示した表示特性調整装置９００の機能を含めるように構成してもよい。
【００４８】
次に、表示素子が表示位置に応じて階調の異なる階調表示を行う際の表示例を図３に示す。図３は、表示素子が表示位置に応じて順次階調が変化するグラデーション画像の階調表示を行った状態を示す図である。ここに示す例では、液晶表示素子７０の上側から下側に向かって表示色が順次して薄くなってゆくグラデーション画像７００をテストパターンとして表示している。グラデーション画像７００は、走査線毎に階調を変化させるようにしてもよいし、複数本の走査線で同一の階調を表示するようにしてもよい。また、液晶表示装置１０が表示可能な全ての階調を表示するようにしてもよいし、表示可能な階調の一部を表示するようにしてもよい。液晶表示装置１０のγ・フリッカ補正を行う際のテストパターンとして、グラデーション画像７００を用いることによって、輝度測定手段５０を階調が変化する方向に沿って走査させ、液晶表示装置１０が表示した全ての階調についての輝度を測定することができる。また、輝度測定手段５０をテストパターンに沿って平行に走査させる走査手段５２から、輝度信号と共にその輝度を測定した表示位置を表す位置情報を取得することによって、液晶表示素子７０が階調表示した複数の表示位置における輝度を取得することが可能となる。
【００４９】
次に、表示素子が本来表示すべき階調と輝度との関係を定めた階調輝度特性の特性例を図４に示す。図４は、一般にガンマカーブと呼ばれている階調輝度特性で、例えば人間の視覚に合わせて輝度Ｙ＝階調Ｘ2.2とする特性である。
【００５０】
次に、本来表示素子が表示すべき階調輝度特性と、補正を行わない状態での表示素子の階調輝度特性との対比を図５に示す。図５に示す例では、本来表示すべきガンマカーブの階調輝度特性を実線で表し、補正を行わない状態で表示素子が階調表示を行った場合の階調輝度特性を破線で表している。補正を行わない状態での表示素子の階調輝度特性は、表示素子の電圧透過率特性曲線(ＶＴ特性)により定まる特性である。
【００５１】
液晶表示素子７０の階調表示特性の調整を行う際には、先ず液晶表示素子７０に対して階調表示を行うための階調表示情報を出力して、液晶表示素子７０にグラデーション画像７００等のテストパターンを表示させる。表示特性調整装置９００は、輝度測定手段５０から液晶表示素子７０が階調表示した複数の表示位置における輝度を測定し（例えば図５に示す破線）、本来表示すべきガンマカーブの階調輝度特性（例えば図５に示す実線）と比較して、液晶表示素子７０が表示した階調表示の輝度をガンマカーブ等の階調輝度特性に近づけるための階調補正値を、予め複数記憶しているガンマカーブ用の補正値の中から選択する。この補正値として、各階調毎の輝度補正値、多次の近似曲線の計算式、所定の近似曲線を選択する情報、又はオフセット用の定数を用いることも可能である。
【００５２】
次に、液晶表示素子７０の共通電極に印加する電圧の波形とバックライト２０が照射する色のフィールドとのタイミングについて、図６を用いて説明する。図６は、液晶表示素子の共通電極に印加する電圧の波形とバックライトが照射する色のフィールドとのタイミングを示す図であり、バックライト２０がＲ、Ｇ、Ｂの三色毎に時分割した光を発光し、その発光した光の光量を液晶表示素子７０が階調に応じて遮光することによりカラー表示を行うフィールドシーケンシャル方式を採用する液晶表示装置１０におけるフィールドのタイミングを表している。なお、図６に示すフィールドＲｐ、Ｇｐ、及びＢｐは、液晶の共通電極の電位に対して画素電極にプラスの電位を印加することにより液晶を駆動するポジフレームを表し、フィールドＲｎ、Ｇｎ、及びＢｎは、液晶の共通電極の電位に対して画素電極にマイナスの電位を印加することにより液晶を駆動するネガフレームを表している。
【００５３】
なお、フィールドシーケンシャル方式を採用するカラー液晶ディスプレイは、三原色のカラーフィルタを使ってカラー表示を行うカラー液晶ディスプレイと比較すると、一つの画素で全ての色を表現することができるので３倍の解像度を得ることができ、また、カラーフィルタが不要であることにより透過率を２倍程度高くすることができる。図６に示す実施例では、Ｒ、Ｇ、Ｂの全色を表示する毎に、液晶表示素子７０の共通電極と画素電極との間に印加する電圧の極性を交互に反転させるフレーム反転方式の交流化反転を実施して、液晶表示装置１０が表示する色の階調、及びコントラストの持続を維持している。
【００５４】
図６に示す交流化反転を行っている状態で階調補正値を算出する場合には、例えばＲｐのフィールドで液晶表示素子７０が表示している階調表示から階調補正値を算出して、液晶表紙装置１０のγ・フリッカ補正回路４０に出力する。また、同様に、Ｇｐ、Ｂｐの各色のフィールドにおいて個別に階調補正値を算出するようにしてもよい。また、Ｒｎ、Ｇｎ、又はＢｎのフィールドにおいて個別に階調補正値を算出するようにしてもよい。例えば、Ｒｐ及びＲｎの共通電極の極性毎にトリガーをかけて階調輝度補正値を算出して液晶表示素子７０の輝度を補正すると、階調の補正と共に、表示素子に印加する電圧の極性に応じて異なる輝度の補正を実施することができる。この場合には、階調の補正を実施すると共に、複数の階調における輝度変動も補正してフリッカを減少させることができる。
【００５５】
次に、液晶表示素子の共通電極に印加する電圧の波形とバックライト２０が照射する色のフィールドとのタイミングの他の実施形態について、図７を用いて説明する。図７は、液晶表示素子の共通電極に印加する電圧の波形とバックライトが照射する色のフィールドとのタイミングの他の実施例を示す図である。
【００５６】
図７に示す実施例では、バックライト２０がＲ、Ｇ、Ｂの三色を点灯する毎に交流化反転を行うフィールド反転方式を実施している。なお、図７に示すＲｐ、Ｇｐ、及びＢｐの各フィールドは、液晶の共通電極の電位に対して画素電極にプラスの電位を印加することにより液晶を駆動するポジフィールドを表し、Ｒｎ、Ｇｎ、及びＢｎの各フィールドは、液晶の共通電極の電位に対して画素電極にマイナスの電位を印加することにより液晶を駆動するネガフィールドを表している。
【００５７】
図７に示す交流化反転を行っている状態で階調補正値を算出する場合にも、図６に示した場合と同一の処理を行うことによって、階調の補正と共に、表示素子に印加する電圧の極性に応じて異なる輝度を補正することが可能となる。したがって、階調を補正すると共に、複数の階調における輝度変動も補正してフリッカを減少させることができる。
【００５８】
このフリッカを減少させる輝度の補正を行うために、液晶表示装置のγ・フリッカ補正回路４０から、表示素子に印加する交流化反転の電圧の極性に関する情報を入力して、輝度補正値算出手段又は階調補正値算出手段が、電圧の極性毎の輝度の差を複数の階調毎に同期をとって算出するようにしてもよい。また、表示特性調整装置９００側から、液晶表示装置のγ・フリッカ補正回路４０に対して、表示素子に印加する交流化反転の電圧の極性を指示し、ドライバ３０がその指示に従った電圧を液晶表示素子７０に印加するように構成してもよい。また、液晶表示素子７０近傍の温度を測定する温度測定手段を設けると共に温度に応じた階調輝度補正値又は輝度補正値を記憶しておき、温度測定手段が測定した温度に応じて異なる階調輝度補正値又は輝度補正値を適用して階調又は輝度の補正を行うように構成してもよい。
【００５９】
次に、図８を用いて表示特性調整装置９００を用いた液晶表示素子７０の表示特性調整処理について説明する。図８は、表示素子に対してガンマカーブ補正を実行する際の処理のフローチャートであり、例えば表示特性調整装置９００の情報処理手段９８０が実行する処理である。図８に示す実施例では、ガンマカーブを調整するテストパターンとして、図３に示したグラデーションによる階調表示を用いた場合の処理を行っている。
【００６０】
液晶表示素子７０のガンマカーブを補正する際には、情報処理手段９８０が実行する処理はステップＳ１０２「グラデーション画像表示情報出力」（以降Ｓ１０２のように省略して記載する）に進み、液晶表示素子７０が階調表示を行うためのテストパターンの階調表示情報を記憶手段９８４から読み出す。そして、その階調表示情報の出力を階調表示情報出力手段９５２に指示する。なお、出力する階調表示情報は、情報処理手段９８０が記憶手段９８４から読み出して階調表示情報出力手段９５２に伝達する代わりに、階調表示情報出力手段９５２が階調表示情報を予め記憶しておき、直接液晶表示装置１０に対して出力するように構成してもよい。また、表示特性調整装置９００が階調表示情報を出力する代わりに、専用のテストパターンジェネレータを設け、このテストパターンジェネレータが階調表示情報を液晶表示装置１０に対して出力するように構成してもよい。この階調表示情報を用いて階調表示を行った際に、液晶表示素子７０に表示される階調と表示の表示位置との関係は、記憶手段９８４等の階調位置記憶手段に予め記憶しておく。
【００６１】
液晶表示装置１０のγ・フリッカ補正回路４０がＲ、Ｇ、Ｂからなる階調表示情報を入力すると、例えば図３に示した表示位置に応じて異なる階調を有するテストパターンが液晶表示素子７０に表示される。
【００６２】
画像表示情報の出力が終了すると、情報処理手段９８０が実行する処理はＳ１０４「輝度測定手段をスタートラインに移動」に進み、走査手段５２に設けられている輝度測定手段５０を輝度測定のスタートラインに移動させるための指示を、Ｉ／Ｏ９７７を介して出力する。すると輝度測定手段５０は、液晶表示素子７０に表示されているテストパターンの輝度測定を行うためのホームポジションに移動する。
【００６３】
次に情報処理手段９８０が実行する処理はＳ１０６「輝度測定手段を最初の走査ラインへ移動」に進み、走査手段５２のキャリッジに設けられている輝度測定手段５０を最初の走査ラインに移動させるための指示を、Ｉ／Ｏ９７７を介して出力する。すると走査手段５２のキャリッジに設けられている輝度測定手段５０は、液晶表示素子７０に表示されているテストパターンの最初の走査ラインの輝度を測定する位置に移動する。輝度測定手段５０は、階調表示した特定の表示位置における輝度を測定して輝度信号を出力する。
【００６４】
次のＳ１０８「階調表示した複数の表示位置における輝度を測定して記憶」にて、情報処理手段９８０は、輝度測定手段５０が測定した液晶表示素子７０の輝度の情報を、輝度入力手段９５１を介して入力する。また情報処理手段９８０は、走査手段５２に対して指示したキャリッジの位置情報、又は走査手段５２からＩ／Ｏ９７７を介して入力したキャリッジの位置情報を取得して、表示位置と輝度との関係を取得し、ＲＡＭ９８１又は記憶手段９８４等の記憶素子に記憶する。
【００６５】
図６、図７に示したように、表示素子に印加する電圧の極性毎にガンマカーブを調整する場合には、情報処理手段９８０は表示素子に印加した電圧の極性毎に輝度を取得して、ＲＡＭ９８１又は記憶手段９８４等の記憶素子に記憶する。また、従来のように、階調の一点を用いて別途フリッカ補正を行う場合には、いずれか一方の極性の輝度を取得するようにしてもよい。
【００６６】
次のＳ１１０「輝度測定手段を次の走査ラインに移動」にて情報処理手段９８０は、走査手段５２のキャリッジに設けられている輝度測定手段５０を次の走査ラインに移動させるための指示を、Ｉ／Ｏ９７７を介して出力する。すると走査手段５２のキャリッジに設けられている輝度測定手段５０は、液晶表示素子７０に表示されているテストパターンの次の走査ラインの輝度を測定する位置に移動する。輝度測定手段５０は、次の走査ラインの輝度を測定して輝度信号を出力する。そして情報処理手段９８０が実行する処理は、次のＳ１１２「最終走査ライン？」の判断に進む。
【００６７】
Ｓ１１２にて情報処理手段９８０は、Ｓ１１０にて測定した走査ラインが輝度測定の最終走査ラインであるか否かの判断を行っている。もし最終の走査ラインでない場合には、処理はＳ１０８に分岐し、もし最終の走査ラインであった場合には、Ｓ１１４「補正終了？」の判断に進む。このように、最終走査ラインに達するまで輝度の測定を繰り返し行うことによって、階調表示した複数の表示位置における輝度を取得することができる。
【００６８】
なお、輝度測定手段５０として、所定の範囲の輝度とその座標値を取得することが可能なエリア撮像型の固体撮像素子等を用いた場合には、階調表示した複数の表示位置における輝度を一度に測定して取得することができる。全ての階調について輝度の測定が終了すると、情報処理手段９８０が実行する処理は、次のＳ１１４の判断に進む。
【００６９】
Ｓ１１４にて情報処理手段９８０は、記憶手段９８４等の階調位置記憶手段に予め記憶されている階調と表示位置との関係、及びＳ１０８にて取得した表示位置と輝度との関係を読み出して、階調と輝度との関係を算出する処理を行う。次に情報処理手段９８０は、記憶手段９８４等の階調輝度特性記憶手段から、液晶表示素子７０が本来表示すべき階調と輝度との関係を定めたガンマカーブ等の階調輝度特性を読み出して、前記算出した階調と輝度との関係と、階調輝度特性記憶手段に記憶されている階調輝度特性とを比較して、液晶表示素子７０が表示している階調表示の輝度を階調輝度特性に近づけるための階調補正値を算出する処理を行う。
【００７０】
そして、この階調補正値が許容範囲以内であるか否かの判断を行って、許容範囲内でないと判断した場合には、処理はＳ１１６に分岐する。階調補正値が許容範囲内であると判断した場合には、ガンマカーブ補正の処理は終了する。階調補正値として、予め複数記憶しているガンマカーブ用の補正値の中から所定のカーブを選択する旨の情報を用いることもできるし、各階調毎の輝度補正値、多次の近似曲線の計算式、所定の近似曲線を選択する情報、又はオフセット用の定数を用いることができる。
【００７１】
Ｓ１１６にて情報処理手段９８０は、Ｓ１１４にて算出した階調補正値を、Ｉ／Ｏ９７７を介して液晶表示装置１０のγ・フリッカ補正回路４０に出力する。γ・フリッカ補正回路４０は、表示特性調整装置９００から取得した階調補正値を補正値記憶手段４２に記憶して、以後入力されたＲ、Ｇ、Ｂ等の映像信号に対して階調補正値を用いた階調補正を行って、表示用の点順次の画素データを生成してドライバ３０に出力する。
【００７２】
以上のようにして、表示特性調整装置９００は、液晶表示素子７０のガンマカーブ補正を行うことが可能となる。また、表示素子に印加した電圧の極性毎に輝度を取得して階調補正を行うことによって、交流化反転に伴って発生するフリッカの補正も同時に行うことができる。
【００７３】
次に、表示特性調整装置９００を用いた液晶表示素子７０の輝度変動を減少させる表示特性調整処理について、図９を用いて説明する。図９は、表示素子に対してフリッカ補正を実行する際の処理のフローチャートであり、例えば表示特性調整装置９００の情報処理手段９８０が実行する処理である。図９に示す実施例では、輝度変動を調整するテストパターンとして、図３に示したグラデーションによる階調表示を用いた場合の処理を行っている。
【００７４】
液晶表示素子の輝度変動を補正する際には、情報処理手段９８０が実行する処理はステップＳ２０２「グラデーション画像表示情報出力」に進み、液晶表示素子７０が階調表示を行うためのテストパターンの階調表示情報を記憶手段９８４等から読み出す。そして、その階調表示情報の出力を階調表示情報出力手段９５２に指示する。なお、階調表示情報は、情報処理手段９８０が記憶手段９８４から読み出して階調表示情報出力手段９５２に伝達する代わりに、階調表示情報出力手段９５２が階調表示情報を予め記憶しておき、直接液晶表示装置１０に対して出力するように構成してもよい。また、表示特性調整装置９００が階調表示情報を出力する代わりに、専用のテストパターンジェネレータを設け、そのテストパターンジェネレータが階調表示情報を液晶表示装置１０に対して出力するように構成してもよい。この階調表示情報を用いて階調表示を行った際に液晶表示素子７０に表示される階調と表示位置との関係は、記憶手段９８４等の階調位置記憶手段に予め記憶しておく。
【００７５】
液晶表示装置１０のγ・フリッカ補正回路４０がＲ、Ｇ、Ｂからなる階調表示情報を入力すると、例えば図３に示したような、表示位置に応じて異なる階調を有するテストパターンが液晶表示素子７０に表示される。
【００７６】
グラデーション画像表示情報の出力が終了すると、次に情報処理手段９８０が実行する処理はＳ２０４「輝度測定手段をスタートラインに移動」に進み、走査手段５２のキャリッジに設けられている輝度測定手段５０を輝度測定のスタートラインに移動させるための指示を、Ｉ／Ｏ９７７を介して出力する。すると輝度測定手段５０は、液晶表示素子７０に表示されているテストパターンの輝度測定を行うためのホームポジションに移動する。
【００７７】
次に情報処理手段９８０が実行する処理はＳ２０６「輝度測定手段を最初の走査ラインへ移動」に進み、走査手段５２に設けられている輝度測定手段５０を最初の走査ラインに移動させるための指示を、Ｉ／Ｏ９７７を介して出力する。すると走査手段５２のキャリッジに設けられている輝度測定手段５０は、液晶表示素子７０に表示されているテストパターンの最初の走査ラインの輝度を測定する位置に移動する。輝度測定手段５０は、階調表示した特定の表示位置における輝度を測定して輝度信号を出力する。
【００７８】
次のＳ２０８「階調表示した複数の表示位置における輝度を表示素子に印加した電圧の極性毎に測定して記憶」にて、情報処理手段９８０は、輝度測定手段５０が測定した液晶表示素子７０の輝度の情報を、輝度入力手段９５１を介して、表示素子に印加した電圧の極性毎に入力する。また情報処理手段９８０は、走査手段５２に対して指示したキャリッジの位置情報、又は走査手段５２からＩ／Ｏ９７７を介して入力したキャリッジの位置情報を取得して、表示位置と輝度との関係を取得し、ＲＡＭ９８１又は記憶手段９８４等の記憶素子に記憶する。
【００７９】
フリッカ補正を実行するにあたり、表示素子に印加する電圧の極性をフレーム毎に反転させるフレーム反転方式の交流化反転を実施している場合（図６参照）には、例えばＲｐ及びＲｎのフィールドで液晶表示素子が表示している輝度を測定して取得する。また、表示素子に印加する電圧の極性をフィールド毎に反転させるフィールド反転方式の交流化反転を実施している場合（図７参照）には、例えばＲＧＢｐ及びＲＧＢｎのフィールドで液晶表示素子が表示している輝度を測定して取得する。
【００８０】
次のＳ２１０「輝度の差が最小？」にて情報処理手段９８０は、表示素子に印加した電圧の極性毎の輝度の差を、複数の表示位置毎に算出し、その輝度の差を減少させるための輝度変動補正値を算出する処理を行う。そして、この輝度変動補正値が許容範囲以内であるか否かの判断を行って、許容範囲内でないと判断した場合には、処理はＳ２１６に分岐する。輝度変動補正値が許容範囲内である場合には、Ｓ２１２「輝度測定手段を次の走査ラインに移動」の処理に進む。輝度変動補正値として、各階調毎の輝度変動補正値を用いてもよいし、多次の近似曲線の計算式、所定の近似曲線を選択する情報、又はオフセット用の定数を用いることができる。
【００８１】
Ｓ２１６にて情報処理手段９８０は、Ｓ２１０にて算出した輝度変動補正値を、Ｉ／Ｏ９７７を介して液晶表示装置１０のγ・フリッカ補正回路４０に出力する。γ・フリッカ補正回路４０は、表示特性調整装置９００から取得した輝度変動階調補正値を補正値記憶手段４２に記憶して、以後入力された映像信号に対して輝度変動補正値を用いた輝度補正を行って、表示用の点順次の画素データを生成してドライバ３０に出力する。そして処理はＳ２０８に戻り、再度輝度を測定して輝度変動補正値を算出する処理を行う。
【００８２】
Ｓ２１２にて情報処理手段９８０は、走査手段５２のキャリッジに設けられている輝度測定手段５０を次の走査ラインに移動させるための指示を、Ｉ／Ｏ９７７を介して出力する。すると走査手段５２のキャリッジに設けられている輝度測定手段５０は、液晶表示素子７０に表示されているテストパターンの次の走査ラインの輝度を測定する位置に移動する。輝度測定手段５０は、次の走査ラインにおける輝度を測定して輝度信号を出力する。そして情報処理手段９８０が実行する処理は、次のＳ２１４「最終走査ライン？」の判断に進む。
【００８３】
Ｓ２１４にて情報処理手段９８０は、Ｓ２１２にて測定した走査ラインが、輝度の測定を行うべき最終の走査ラインであるか否かの判断を行っている。もし最終の走査ラインでない場合には、処理はＳ２０８に分岐し、もし最終の走査ラインであった場合には、補正値の算出を終了したものと判断して、フリッカ補正の処理を終了する。このように、最終走査ラインに達するまで輝度の測定を繰り返し行うことによって、各階調における輝度変動補正値を算出することができる。
【００８４】
なお、輝度測定手段５０として所定の範囲の輝度とその座標値を取得することが可能なエリア撮像型の固体撮像素子等を用いた場合には、階調表示した複数の表示位置における輝度を一度に測定して取得することができる。また、上述の実施例では、表示素子の一例として液晶表示素子を用いた場合で説明したが、その他の表示素子の調整用途として適用することができる。
【図面の簡単な説明】
【００８５】
【図１】液晶表示装置と表示特性調整装置を説明するための図。
【図２】表示素子の階調補正値又は輝度変動補正値を算出する表示特性調整装置の信号処理系ブロック図。
【図３】表示素子が表示位置に応じて階調の異なるグラデーション画像の階調表示を行う際の表示例を示す図。
【図４】表示素子が表示すべき階調と輝度との関係を定めた階調輝度特性の特性例を示す図。
【図５】表示素子が表示すべき階調輝度特性と、補正を行わない状態での階調輝度特性とを対比する図。
【図６】液晶表示素子の共通電極に印加する電圧の波形とバックライトが照射する色のフィールドとのタイミングを示す図。
【図７】液晶表示素子の共通電極に印加する電圧の波形とバックライトが照射する色のフィールドとのタイミングの他の実施形態を示す図。
【図８】表示素子に対してガンマカーブ補正を実行する処理のフローチャート。
【図９】表示素子に対してフリッカ補正を実行する処理のフローチャート。
【符号の説明】
【００８６】
１０  液晶表示装置
２０  バックライト
３０  ドライバ
４０  γ・フリッカ補正回路
４２  補正値記憶手段
５０  輝度測定手段
５２  走査手段
７０  液晶表示素子
７００  グラデーション画像
９００  表示特性調整装置
９５１  輝度入力手段
９５２  階調表示情報出力手段
９７０  入力手段
９７１  入力Ｉ／Ｆ
９７２  表示手段
９７３  表示Ｉ／Ｆ
９７７  Ｉ／Ｏ
９８０  情報処理手段
９８１  ＲＡＭ
９８３  ＲＯＭ
９８４  記憶手段
９９０  タイマ
９９９  バス
【図１】
2007225694.tif 000003
【図２】
2007225694.tif 000004
【図４】
2007225694.tif 000005
【図５】
2007225694.tif 000006
【図６】
2007225694.tif 000007
【図７】
2007225694.tif 000008
【図８】
2007225694.tif 000009
【図９】
2007225694.tif 000010
【図３】
2007225694.tif 000011